(57)【特許請求の範囲】
【請求項１】
ユーザの操作入力を受付ける操作部と、
丸い複数の角を有するカード状の媒体を載置することが可能な載置台と、
前記載置台に載置された前記媒体の画像を読取る読取部と、
前記読取部で読取った前記画像について画像処理を行う画像処理部を有し、
前記載置台には、前記載置台に載置された前記媒体を読取る範囲を規制する第１の方向に延びる第１の媒体規制部材と、前記第１の方向と直交する第２の方向に延びる第２の媒体規制部材を設け、前記媒体の直交する二辺を前記第１の媒体規制部材及び前記第２の媒体規制部材に突き当てて載置し、
前記画像処理部は、前記操作部で受付けた前記操作入力に基づいて、
前記媒体が有する前記複数の角のうち前記第１の媒体規制部材及び前記第２の媒体規制部材のどちらにも面さない第１の角について前記画像の前記画像処理を行うとともに、
前記第１の角の前記画像を用いて、前記第１の媒体規制部材及び前記第２の媒体規制部材のうち少なくとも一方と面する第２の角の前記画像の前記画像処理を行うことを特徴とする画像処理装置。
【請求項２】
前記画像処理部は、前記第１の角を含む所定の領域の前記画像を前記第２の角の前記画像に上書きする前記画像処理を行うことを特徴とする請求項１記載の画像処理装置。
【請求項３】
前記読取部の読取を制御する制御部を有し、
前記操作部は、前記載置台に載置される前記媒体のサイズの前記操作入力を受付け、
更に、前記制御部は、前記操作部に前記操作入力された前記媒体の前記サイズに基づいて、前記読取部による読取範囲を決定し、前記読取部は前記第１の角及び前記第２の角を含んだ前記媒体の前記サイズのみ読み取ることを特徴とする請求項２記載の画像処理装置。
【請求項４】
前記読取部の読取を制御する制御部を有し、
前記操作部は前記載置台に載置される前記媒体の種類を選択する前記操作入力を受付け、
前記操作部に前記操作入力された前記媒体の種類に応じたサイズを予め記憶する記憶部を有し、
更に、前記制御部は、前記記憶部に記憶した前記媒体の前記サイズに基づいて、前記読取部による読取範囲を決定し、前記読取部は前記第１の角及び前記第２の角を含んだ前記媒体の前記サイズのみ読み取ることを特徴とする請求項２記載の画像処理装置。
【請求項５】
前記操作部は、前記載置台に載置される前記媒体のサイズの前記操作入力を受付け、
更に、前記画像処理部は、前記操作部に前記操作入力された前記媒体の前記サイズに基づいて、前記読取部で読取った前記画像の切出しを行い、前記第１の角及び前記第２の角の前記画像に対する前記画像処理を行うことを特徴とする請求項２記載の画像処理装置。
【請求項６】
前記操作部は、前記載置台に載置される前記媒体の種類を選択する前記操作入力を受付け、
更に、前記操作部に前記操作入力された前記媒体の種類に応じたサイズを予め記憶する記憶部を有し、
更に、前記画像処理部は、前記記憶部に記憶した前記媒体の前記サイズに基づいて、前記読取部で読取った前記画像の切出しを行い、前記第１の角及び前記第２の角の前記画像に対する前記画像処理を行うことを特徴とする請求項２記載の画像処理装置。
【発明の詳細な説明】
【技術分野】
【０００１】
本発明は、複写機、スキャナ装置等の原稿の画像を読取る画像処理装置に関する。
【背景技術】
【０００２】
従来、コンタクトガラスに載置された原稿の画像を読取る画像処理装置としての画像読取装置があった。このような画像読取装置が読取る原稿には種々の形態があり、原稿の形態に応じて読取った画像の品質の向上が求められている。特開２００９−１７７６９８号公報（特許文献１）には、カールした原稿を読取る際に、カールを矯正して、原稿の位置決めを容易にする画像読取装置が記載されている。
一方近年、原稿としてのＩＤカードを読取って画像とし、印刷して保管する機会が増えてきている。
【先行技術文献】
【特許文献】
【０００３】
【特許文献１】特開２００９−１７７６９８号公報
【発明の概要】
【発明が解決しようとする課題】
【０００４】
しかしながら、読取ったＩＤカードの画像についても品質の向上の要望も強くなっている。特に、四隅が丸くなっているＩＤカードが、画像読取装置のコンタクトガラスの媒体突当部に突き当てて載置されるとき、当該媒体突当部に突き当てたＩＤカードの角の画像の仕上がりが悪いという問題があった。
そこで、本発明が解決しようとする課題は、ＩＤカードの画像読取に際し、仕上がりのきれいな読取画像を提供することを可能とするものである。
【課題を解決するための手段】
【０００５】
上記課題を解決するために請求項１記載の本発明に関する画像形成装置は、ユーザの操作入力を受付ける操作部と、丸い複数の角を有するカード状の媒体を載置することが可能な載置台と、前記載置台に載置された前記媒体の画像を読取る読取部と、前記読取部で読取った前記画像について画像処理を行う画像処理部を有し、前記載置台には、前記載置台に載置された前記媒体を読取る範囲を規制する第１の方向に延びる第１の媒体規制部材と、前記第１の方向と直交する第２の方向に延びる第２の媒体規制部材を設け、前記媒体の所定の二辺を前記第１の媒体規制部材及び前記第２の媒体規制部材に突き当てて載置し、前記画像処理部は、前記操作部で受付けた前記操作入力に基づいて、前記媒体が有する前記複数の角のうち前記第１の媒体規制部材及び前記第２の媒体規制部材のどちらにも面さない第１の角について前記第１の角の前記画像の前記画像処理を行うとともに、前記第１の角の前記画像を用いて前記第１の媒体規制部材及び前記第２の媒体規制部材のうち少なくとも一方と面する第２の角の前記画像の前記画像処理を行うことを特徴とするものである。
【０００６】
請求項２記載の本発明に関する画像形成装置は、前記画像処理部が、前記第１の角を含む所定の領域の前記画像を前記第２の角の前記画像に上書きする前記画像処理を行うことを特徴とするものである。
【０００８】
請求項３記載の本発明に関する画像形成装置は、前記読取部の読取を制御する制御部を有し、前記操作部は、前記載置台に載置される前記媒体のサイズの前記操作入力を受付け、更に、前記制御部は、前記操作部に前記操作入力された前記媒体の前記サイズに基づいて、前記読取部による読取範囲を決定し、前記読取部は前記第１の角及び前記第２の角を含んだ前記媒体の前記サイズのみ読み取ることを特徴とするものである。
【０００９】
請求項４記載の本発明に関する画像形成装置は、前記読取部の読取を制御する制御部を有し、前記操作部は前記載置台に載置される前記媒体の種類を選択する前記操作入力を受付け、前記操作部に前記操作入力された前記媒体の種類に応じたサイズを予め記憶する記憶部を有し、更に、前記制御部は、前記記憶部に記憶した前記媒体の前記サイズに基づいて、前記読取部による読取範囲を決定し、前記読取部は前記第１の角及び前記第２の角を含んだ前記媒体の前記サイズのみ読み取ることを特徴とするものである。
【００１０】
請求項５記載の本発明に関する画像形成装置は、前記操作部は、前記載置台に載置される前記媒体のサイズの前記操作入力を受付け、更に、前記画像処理部は、前記操作部に前記操作入力された前記媒体の前記サイズに基づいて、前記読取部で読取った前記画像の切出しを行い、前記第１の角及び前記第２の角の前記画像に対する前記画像処理を行うことを特徴とするものである。
【００１１】
請求項６記載の本発明に関する画像形成装置は、前記操作部は、前記載置台に載置される前記媒体の種類を選択する前記操作入力を受付け、更に、前記操作部に前記操作入力された前記媒体の種類に応じたサイズを予め記憶する記憶部を有し、更に、前記画像処理部は、前記記憶部に記憶した前記媒体の前記サイズに基づいて、前記読取部で読取った前記画像の切出しを行い、前記第１の角及び前記第２の角の前記画像に対する前記画像処理を行うことを特徴とするものである。
【発明の効果】
【００１２】
上記構成を有する本発明によれば、ユーザの操作入力を受付ける操作部と、媒体を載置する載置台と、前記載置台に載置された媒体を読取る読取部と、前記読取部で読取った画像について画像処理を行う画像処理部を有し、ユーザが画像処理を希望するときは、所望の画像処理を操作部に入力することにより、読取部で読取った画像について画像処理をするので、仕上がりのきれいな読取画像を提供することができる。特に、四隅が丸くなっているＩＤカードが、画像読取装置のコンタクトガラスの媒体突当部に突き当てて載置されるとき、当該媒体突当部に突き当てたＩＤカードの角の画像の仕上がりが、当該媒体突当部に面さないＩＤカードの角の画像と同等に良好にすることができる読取画像を提供することが可能になる。
【図面の簡単な説明】
【００１３】
【図１】第１の実施の形態に関する画像処理装置のブロック図である。
【図２】第１の実施の形態に関する画像処理装置の斜視図である。
【図３】第１の実施の形態に関する画像処理装置のコンタクトガラスと媒体の配置を示す説明図である。
【図４】第１の実施の形態に関する画像処理装置のオペレータパネル及びコピー種類選択画面を示す説明図である。
【図５】第１の実施の形態に関する画像処理装置のＣｏｐｙ設定の動作を示すフローチャートである。
【図６】第１の実施の形態に関する画像処理装置の四隅補正設定画面を示す説明図である。
【図７】第１の実施の形態に関する画像処理装置の四隅補正を示す説明図である。
【図８】第１の実施の形態に関する四隅補正における基準となる角に作成されたマスクパターンの拡大図である。
【図９】第１の実施の形態に関する四隅補正における基準となる角以外の角に作成されたマスクパターンの拡大図である。
【図１０】第１の実施の形態に関する画像処理装置のカードサイズ入力画面を示す説明図である。
【図１１】第１の実施の形態に関する画像処理装置のカードサイズ記憶部の説明図である。
【図１２Ａ】第１の実施の形態に関する画像処理装置におけるＩＤカードコピー動作のシーケンス図である。
【図１２Ｂ】第１の実施の形態に関する画像処理装置におけるＩＤカードコピー動作のシーケンス図である。
【図１３】第１の実施の形態に関する画像処理部の画像加工前の読取データの説明図である。
【図１４】第１の実施の形態に関する画像処理装置の画像処理部の画像加工処理フローである。
【図１５】第１の実施の形態に関する画像処理部の画像加工後の読取データの説明図である。
【図１６】第１の実施の形態に関する画像処理装置の印刷結果を示す説明図である。
【図１７】第１の実施の形態に関する画像処理装置の斜視図である。
【図１８】第１の実施の形態に関する画像読取装置のＡ−Ａ断面図である。
【図１９】画像読取装置の印刷結果を示す説明図である。
【図２０】第２の実施の形態に関する画像処理装置のカードサイズ入力画面である。
【図２１】第２の実施の形態に関する画像処理装置の定型カードサイズ記憶部の説明図である。
【発明を実施するための形態】
【００１４】
（第１の実施の形態）
以下、本発明の第１の実施の形態について説明する。図２は第１の実施の形態に関する画像処理装置の斜視図である。第１の実施の形態に関する画像処理装置１００は、ユーザ１１０によるオペレータパネル１２５からのＣｏｐｙ設定に従って、媒体としてのＩＤカードＣを読取り、印刷を行うものである。画像処理装置１００は、媒体としての原稿の画像を読取るスキャナ部１３０と、スキャナ部１３０に対して開閉自在に設けられたオートドキュメントフィーダ（以後ＡＤＦという）ユニット１４０と、読取った画像を用紙に印刷する印刷部１２０と、ユーザ１１０の操作入力を受付ける操作部としてのオペレータパネル１２５を有する。ユーザ１１０がＡＤＦユニット１４０に、又はスキャナ部１３０の載置台としてのコンタクトガラス１３２に媒体としての原稿をセットした後、オペレータパネル１２５上のタッチパネルなどを操作して、画像処理装置１００に対してコピーを指示する。すると、画像処理装置１００は、ユーザ１１０が行ったＣｏｐｙ設定に従いコピーを行うものである。
【００１５】
スキャナ部１３０は印刷部１２０の上側に設けられる。スキャナ部１３０は、媒体としての原稿を載置する載置台としてのコンタクトガラス１３２と、コンタクトガラス１３２上において媒体としての原稿を読取る範囲を規制する媒体規制部としての媒体突当部１３３及び１３４と、コンタクトガラス１３２上に載置された媒体としての原稿を読取る読取部としてのＣＩＳセンサ（密着イメージセンサ）１３１（図３参照）を有する。
【００１６】
また、ＡＤＦユニット１４０は、スキャナ部１３０の上側に開閉可能に設けられ、複数の原稿を一枚毎に順次ＣＩＳセンサ１３１の読取位置に送り込む。ＡＤＦユニット１４０は、コンタクトガラス１３２と対向する位置に蓋部１４１が配置される。蓋部１４１には原稿を押圧する媒体押圧部としてのスポンジ部１４２が配置されている。スポンジ部１４２の原稿側の表面には白色のシートが貼り付けられている。ＣＩＳセンサ１３１からみて載置された原稿がスポンジ部１４２より狭い場合、即ち、原稿からはみ出てスポンジ部１４２が見える場合に、スポンジ部１４２が画像として映らないように構成されている。また、スポンジ部１４２の白色のシートは、原稿の裏面の画像を読取ってしまうこと（いわゆる裏写り）を低減するためでもある。
操作入力部としてのオペレータパネル１２５は、スキャナ部１３０の横側、即ちユーザ１１０からみて手前側に設けられる。ユーザ１１０は原稿としてのＩＤカードＣの良好な画像を希望するときには、オペレータパネル１２５を操作することによりＣｏｐｙ設定を行い、後述するように良好な画像を得ることができる。
【００１７】
図１は第１の実施の形態に関する画像処理装置のブロック図である。画像処理装置１００は各種の機能を有する複合機であるが、以下の説明では本発明に関連する機能のみ説明する。画像処理装置１００は、オペレータパネル１２５と、パネル制御部２１０と、スキャナ部１３０と、ＡＤＦユニット１４０と、スキャナ制御部２２０と、画像処理部２３０と、印刷部１２０及びこれらを制御する状態管理部２４０で構成される。
【００１８】
オペレータパネル１２５は、後述するようにタッチパネル及び各種ボタンからなり、パネル制御部２１０に接続されている。オペレータパネル１２５はパネル制御部２１０の指示に従い、ユーザ１１０への情報を表示するとともに、ユーザ１１０の操作で各種設定の入力や、ジョブの起動等を行う。
特に、後述するようにユーザ１１０は「ＩＤカードコピー設定」を有効とすることができる（図４参照）。その場合四隅補正を行った上で、出力用紙の片面を上下２個の領域に分割し、原稿としてのＩＤカードＣの表面Ｃ１と裏面Ｃ２の画像を分割したそれぞれの領域に配置して印刷する（図１６参照）。
また、ユーザ１１０が行う「四隅補正設定」では、補正方法と、補正量を指定することができる。後述するように四隅補正の補正方法には「ＯＦＦ」、「三角（さんかく）白抜き」、「四角（しかく）白抜き」、「角（かど）マスク」、「角（かど）複製」を選択することができる。
【００１９】
パネル制御部２１０は状態管理部２４０の指示に従い、オペレータパネル１２５を制御し、後述するコピー種類選択画面１５１等のパネル表示を行う。また、ユーザ１１０がオペレータパネル１２５を操作することによって各種設定の入力やジョブの起動を行った場合、パネル制御部２１０はその入力等を受付け、これを状態管理部２４０に通知する。
記憶部２１５は、画像処理装置１００の動作に必要な固定的なデータ及び一時的なデータを記憶する。特に、本実施の形態においては、後述するカードサイズ入力画面１６１（図１０参照）においてユーザ１１０が入力したＩＤカードＣのカードサイズを記憶する（図１１参照）。
【００２０】
スキャナ制御部２２０は状態管理部２４０より読取開始を指示されると、ＡＤＦユニット１４０上に原稿がある場合、ＡＤＦユニット１４０に対し一枚毎に原稿を繰出すよう指示する。ＡＤＦユニット１４０に原稿がなくなるまで、後述するＣＩＳセンサ１３１によって１枚毎に原稿の読取りを行う。また、ＡＤＦユニット１４０上に原稿がない場合、ＣＩＳセンサ１３１によってコンタクトガラス１３２上の原稿の１回目読取りを行う（図１２に示すＳ２０７参照）。また、スキャナ制御部２２０は、コンタクトガラス１３２に対して１回目又は２回目の原稿を読取ると、状態管理部２４０に読取完了を通知する（Ｓ２０８、Ｓ２２０参照）。また、スキャナ制御部２２０は読取った画像データを画像処理部２３０に通知する（Ｓ２１１、Ｓ２２３参照）。
ここで、スキャナ制御部２２０はスキャナ部１３０がＩＤカードＣの画像を読取る際に、ユーザ１１０がオペレータパネル１２５から入力したＩＤカードＣのカードサイズに基づいて、スキャナ部１３０による読取範囲を決定し、当該カードサイズのみ読取るように制御する。
【００２１】
次に、状態管理部２４０は、パネル制御部２１０からユーザ１１０による各種設定とともに、表面Ｃ１の読取としての１回目の読取のＣｏｐｙ開始を通知されると（Ｓ２０２参照）、パネル制御部２１０に読取中画面の表示依頼を通知し（Ｓ２０３参照）、オペレータパネル１２５上に読取中画面を表示させる。そして状態管理部２４０は、ユーザ１１０による各種設定に基づき、画像処理部２３０に画像処理指定を行う（Ｓ２０５参照）。
【００２２】
画像処理指定の中には、ＩＤカードコピー設定が有効か無効かという情報も含む。更に、画像処理指定の中には、四隅補正の補正方法、補正量の情報も含む。四隅補正の補正方法には、後述する「ＯＦＦ」、「三角白抜き」、「四角白抜き」、「角マスク」、「角複製」がある。「角マスク」及び「角複製」の場合は、更に、四隅補正の基準となる角を特定する基角情報を含む。基角情報は、左上、左下、右上又は右下のいずれかである。
状態管理部２４０は画像処理指定をした後、スキャナ制御部２２０に読取開始を通知する（Ｓ２０６参照）。また、状態管理部２４０は、ＩＤカードコピー時にスキャナ制御部２２０から１回目の読取完了が通知されると（Ｓ２０８参照）、パネル制御部２１０に２回目としての次原稿画面の表示依頼を通知し（Ｓ２０９参照）、オペレータパネル１２５上にＩＤカードＣの裏面Ｃ２をセットして読取開始を促す次原稿画面を表示させる。次原稿画面ではユーザ１１０が原稿をセットした後、ユーザ１１０に対し読取開始ボタンの押下を促すことが可能である。
【００２３】
状態管理部２４０は、オペレータパネル１２５上で２回目の読取りの開始が指示されると、パネル制御部２１０から裏面Ｃ２の読取としての２回目の読取開始が通知される（Ｓ２１５参照）。状態管理部２４０に読取開始が通知されると、状態管理部２４０は、パネル制御部２１０に読取中画面の表示依頼を通知し（Ｓ２１６参照）、オペレータパネル１２５上に読取中画面を表示させる。更に状態管理部２４０は、スキャナ制御部２２０に読取開始を通知する（Ｓ２１８参照）。
【００２４】
状態管理部２４０は、２回目の読取完了が通知されると（Ｓ２２０参照）、パネル制御部２１０に印刷中画面の表示依頼を通知し（Ｓ２２１参照）、オペレータパネル１２５上に印刷中であることを示す印刷中画面を表示させる。更に、状態管理部２４０は印刷部１２０から印刷完了を通知されると（Ｓ２２８参照）、パネル制御部２１０に待機画面の表示依頼を通知し（Ｓ２２９参照）、オペレータパネル１２５上に、待機画面を表示させる。
【００２５】
画像処理部２３０は状態管理部２４０から画像処理指定を受けると（Ｓ２０５参照）、画像処理指定の内容に合わせて画像処理を行う。ユーザ１１０によりＩＤカードコピーが選択された場合、画像処理部２３０は読取った画像データに対して、画像処理としての画像加工を行う（Ｓ２２４参照）。更に、画像処理部２３０は後に図１６で示すように出力用紙サイズを２分割し、２ページ分の画像データを配置した後（Ｓ２２５参照）、作成した印刷データを印刷部１２０に送信し、印刷依頼を行う（Ｓ２２６参照）。
【００２６】
また、画像処理部２３０は、ユーザ１１０により選択された四隅補正の補正方法の種類及び補正量に基づいて、画像処理としての画像データの加工を行う。四隅補正の補正方法が「ＯＦＦ」の場合、画像データの加工は行わない。その他の補正方法は、後に図７において詳述するが、概略は次の通りである。
即ち、四隅補正の補正方法が「三角白抜き」の場合、画像データの四隅を補正量の大きさの２辺を持つ直角二等辺三角形で角に合わせて白抜きするように画像データの加工を行う。四隅補正の補正方法が「四角白抜き」の場合、ＩＤカードＣの画像データの４個の角それぞれを、補正量の大きさの辺を持つ正方形で角に合わせて白抜きするように画像データの加工を行う。
四隅補正の補正方法がマスク処理としての「角マスク」の場合、まず四隅補正の基準となる角の位置を特定する基角情報に従い、指定された角を基準として、基準となる角からマスクパターンを作成する。基準となる角以外の角に対して、当該マスクパターンを９０度順次回転させながら、画像データと、当該マスクパターンの論理演算をＡＮＤで行うように画像データの加工を行う。
【００２７】
四隅補正の補正方法が複製処理としての「角複製」の場合、四隅補正の基準となる角を特定する基角情報に従い、指定された角を他３個の角に対して９０度順次回転させながら上書きするように画像データの加工を行う。
更に画像処理部２３０はスキャナ制御部２２０から読取データ入力が行われると、受信した画像データに対して、設定されている加工内容に従い、画像加工を行う。
そして、印刷部１２０は、画像処理部２３０より印刷依頼を通知されると印刷を行う（Ｓ２２７参照）。印刷が完了すると、印刷部１２０は状態管理部２４０に印刷完了を通知する（Ｓ２２８参照）。
【００２８】
図３は第１の実施の形態に関する画像処理装置のコンタクトガラスと媒体の配置を示す説明図である。媒体としての原稿を載置する載置台としてのコンタクトガラス１３２はほぼ横長の長方形である。前述のようにコンタクトガラス１３２の直下にはＣＩＳセンサ１３１が第２の方向としての矢印Ｙ方向にライン状に形成され、矢印Ｙ方向に直交する第１の方向としての矢印Ｘ方向に水平に移動可能に設けられる。ＣＩＳセンサ１３１は、コンタクトガラス１３２の左端から矢印Ｘ方向に移動すると同時にコンタクトガラス１３２上に載置した媒体としての原稿の画像を読取る。ＣＩＳセンサ１３１は一回の移動で原稿の画像を読み終わると、矢印Ｘの逆方向へ移動し元の位置に戻る。
【００２９】
載置台としてのコンタクトガラス１３２の周囲には、コンタクトガラス１３２上をＸ方向に延びる第１の媒体規制部材としての第１の媒体突当部１３３と、Ｘ方向と直交する第２の方向としてのＹ方向に延びる第２の媒体規制部材としての第２の媒体突当部１３４を有する。第１の媒体突当部１３３と第２の媒体突当部１３４は、ＣＩＳセンサ１３１によって読取ることができる読取範囲を規制する。第１の媒体突当部１３３と第２の媒体突当部１３４との交点近傍には、媒体突当マーカ１３５が描かれている。ユーザ１１０はこの媒体突当マーカ１３５に原稿を突き当てて載置することができる。
【００３０】
図３は原稿としてのＩＤカードＣの裏面Ｃ２を上側にして、かつＩＤカードＣの上辺Ｃ９を第２の媒体突当部１３４に突き当て、ＩＤカードＣの他の辺を第１の媒体突当部１３３に突き当てた状態を示す。そして、ＩＤカードＣの角Ｃ−２、Ｃ−３、Ｃ−４は媒体突当部１３３又は１３４に突き当てられ、即ち媒体突当部１３３又は１３４に面しており、角Ｃ−１は媒体突当部１３３又は１３４のどちらにも面さないことを示す。
ここで、スキャナ部１３０はＩＤカードＣの画像を読取る際に、スキャナ制御部２２０の制御によって、ユーザ１１０がオペレータパネル１２５から入力したＩＤカードＣのカードサイズに基づいて、スキャナ部１３０による読取範囲が決定され、当該カードサイズのみ読取るように制御される。このようにして、ＣＩＳセンサ１３１はＩＤカードＣの表面Ｃ１の画像のみを読取ることができる。読取画像は後に図１３において説明する。
【００３１】
しかしながら、四隅が丸くなっているＩＤカードＣを、媒体突当部１３３又は１３４に突き当てて載置するとき、当該媒体突当部１３３又は１３４に突き当てたＩＤカードＣの角Ｃ−２、Ｃ−３、Ｃ−４の画像の印刷の仕上がりが、当該媒体突当部１３３及び１３４のどちらにも面さない角Ｃ−１の画像に対して影が生じる等の影響で見劣りすることがある（図１３参照）。
【００３２】
図４は第１の実施の形態に関する画像処理装置のオペレータパネル及びコピー種類選択画面を示す説明図である。オペレータパネル１２５には、タッチパネル１２４及び各種ボタン１２６乃至１２９からなる。ユーザ１１０への情報の表示はタッチパネル１２４によって行われる。ユーザ１１０による各種設定の入力やジョブの起動等は、タッチパネル１２４への入力及びテンキー１２６、アップキー１２７−１、ダウンキー１２７−２、ＯＫボタン１２８及びＢＡＣＫキー１２９への入力により行うことができる。コピー種類選択画面１５１については、次の画像処理装置１００の動作の説明において説明する。
【００３３】
（第１の実施の形態のＣｏｐｙ設定）
次に第１の実施の形態に関する画像処理装置１００のＣｏｐｙ設定の動作について、図５（図４の一部を含む）乃至図１１を用いて説明する。図５は第１の実施の形態に関する画像処理装置のＣｏｐｙ設定の動作を示すフローチャートである。
Ｓ１０１：まず、状態管理部２４０はパネル制御部２１０に対し、オペレータパネル１２５にコピー種類選択画面１５１を表示するよう指示する。パネル制御部２１０はオペレータパネル１２５にコピー種類選択画面１５１を表示する。
【００３４】
前記図４に示すタッチパネル１２４には、コピー種類選択画面１５１が表示されていることを示す。コピー種類選択画面１５１は、ユーザ１１０に対し選択を促す表示１５２として「コピーの種類を選択して下さい。」と表示する。そして、その下にユーザ１１０が通常のコピーを希望するときに押下する通常のコピーボタン１５３及びユーザ１１０がＩＤカードＣの補正処理を希望するときに押下するＩＤカードコピーボタン１５４を表示する。ユーザ１１０は、指でＩＤカードコピーボタン１５４を押下することにより、又はアップキー１２７−１又はダウンキー１２７−２を使用してカーソルをＩＤカードコピーボタン１５４に合わせてＯＫボタン１２８を押下することにより選択することができる。
【００３５】
Ｓ１０２：状態管理部２４０はパネル制御部２１０に対し、ユーザ１１０がオペレータパネル１２５のＩＤカードコピーボタン１５４を押下したかどうか判定するよう指示する。ユーザ１１０がＩＤカードコピーボタン１５４を選択すると、ＩＤカードコピー有効としてステップＳ１０４へ移行する。ユーザ１１０が通常のコピーボタン１５３を選択すると、ＩＤカードコピー無効としてステップＳ１０３へ移行する。
Ｓ１０３：状態管理部２４０は各部及び印刷部１２０を制御して、通常のコピー動作を行う。
【００３６】
Ｓ１０４：次に状態管理部２４０はパネル制御部２１０に対し、オペレータパネル１２５に四隅補正設定画面１５５を表示するよう指示する。
図６は第１の実施の形態に関する画像処理装置の四隅補正設定画面を示す説明図である。四隅補正設定画面１５５は、四隅補正の補正方法の種類及び補正量並びに四隅補正の基準となる角を特定する基角情報をユーザ１１０に選択させる画面である。補正方法の種類は、前記のように「ＯＦＦ」、「三角白抜き」、「四角白抜き」、「角マスク」、「角複製」がある。「角マスク」及び「角複製」の場合は、更に、四隅補正の基準となる角を特定する基角情報を含む。基角情報は、左上、左下、右上又は右下のいずれかである。
四隅補正設定画面１５５は、ユーザ１１０が前記ＩＤカードコピーボタン１５４を選択すると、オペレータパネル１２５のタッチパネル１２４に表示される。四隅補正設定画面１５５には、まずユーザ１１０に対し選択を促す表示１５６として「四隅の補正を設定して下さい。」と表示する。そして、その下に四隅補正の補正方法を選択できる選択ボタンとしてＯＦＦボタン１５７−１、三角白抜きボタン１５７−２、四角白抜きボタン１５７−３、角マスク１５７−４及び角複製１５７−５が表示される。
【００３７】
更に四隅補正設定画面１５５の下方には、四隅補正の基準となる角の位置を特定する基角情報の入力を促す表示１５８として「基礎にする角（表面から見たとき）」と表示する。左上、右上、左下、右下の各ボタンが表示される。ここでは右下ボタン１５９が選択されたものとする。角が右下ということは、第１の媒体突当部１３３と第２の媒体突当部１３４のどちらにも面さない角である。四隅補正の基準となる角の入力は、四隅補正の補正方法が「角マスク」及び「角複製」のときに必要となる。
【００３８】
そして、四隅補正設定画面１５５の下方には、補正量１６０を入力する領域を表示する。ここで補正量は、四隅補正の補正方法が「四角白抜き」の場合の正方形の一辺の長さであり、「三角白抜き」の場合の直角二等辺三角形の二等辺の長さであり、「角マスク」の場合のマスクパターンの一辺の長さであり、更に、「角複製」の場合の複製する正方形の一辺の長さである。
【００３９】
図７は第１の実施の形態に関する画像処理装置の四隅補正を示す説明図である。図７（ａ）は  四隅補正の補正方法が「四角白抜き」の場合を示す。ＩＤカードＣの表面Ｃ１の画像データの四隅としての角Ｃ３−１、Ｃ３−２、Ｃ３−３及びＣ３−４それぞれを、指定された補正量の大きさの辺を持つ正方形で角に合わせて白抜きするように画像データの加工を行う。これによりＩＤカードＣの四隅の周囲に生じた影は消去することができる。
【００４０】
図７（ｂ）は、四隅補正の補正方法が「三角白抜き」の場合を示す。ＩＤカードＣの表面Ｃ１の画像データの四隅としての角Ｃ４−１、Ｃ４−２、Ｃ４−３及びＣ４−４を指定された補正量の大きさの２等辺を持つ直角二等辺三角形で角に合わせて白抜きするように画像データの加工を行う。白抜きするところは、直角の角Ｃ５−１を頂点とする二等辺三角形であり、ＩＤカードＣの丸みの部分Ｃ６−１が含まれる。これによりＩＤカードＣの四隅の周囲に生じた影は消去することができる。
図７（ｃ）は四隅補正の補正方法がマスク処理としての「角マスク」及び複製処理としての「角複製」の場合を示す。四隅補正の補正方法が「角マスク」の場合、四隅補正の基準となる角の位置を特定する基角情報（ここでは右下Ｃ７−１）に従い、まず指定された角Ｃ７−１から図８に示す正方形のマスクパターンが作成される。
【００４１】
図８は第１の実施の形態に関する四隅補正における基準となる角に作成されたマスクパターンの拡大図である。基角情報としての右下の角Ｃ７−１において作成されたマスクパターンＭ１０は正方形である。そのうちＩＤカードＣの隅の丸み部分と重なる部分をオンビットＭ１１とし、丸み部分を除いた部分をオフビットＭ１２にする。
【００４２】
図９は第１の実施の形態に関する四隅補正における基準となる角以外の角に作成されたマスクパターンの拡大図である。四隅補正における基準となる角に作成されたマスクパターンＭ１０から基準となる角以外の角（Ｃ７−２→Ｃ７−３→Ｃ７−４）に対して、正方形のマスクパターンＭ１０を９０度順次回転させながら、正方形のマスクパターンＭ１３、Ｍ１４及びＭ１５を作成する。
その後、ＩＤカードＣの表面Ｃ１の画像データと、マスクパターンＭ１０、Ｍ１３、Ｍ１４及びＭ１５の論理演算をＡＮＤで行うように画像データの加工を行う。マスクパターンは、指定された長さを一辺とする正方形の２値画像である。マスクパターンと画像データの論理演算をＡＮＤで行った場合、マスクパターンでオンビット（例えばＭ１１）となっている画素と論理演算を行った画像データの画素は、画像データの画素が残る。そして、マスクパターンでオフビット（例えばＭ１２）となっている画素と論理演算を行った画像データの画素は、画素が消えることになる。これによりＩＤカードＣの基準となる角以外の角の周囲に生じた影は消去することができる。
【００４３】
図７（ｃ）に示す四隅補正の補正方法が複製処理としての「角複製」の場合、四隅補正の基準となる角を特定する基角情報（この場合もＣ７−１）に従い、指定された角Ｃ７−１の正方形の画像を他３個の角Ｃ７−２、Ｃ７−３及びＣ７−４に対して９０度順次回転させながら上書きすることにより画像データの加工を行う。この場合もＩＤカードＣの基準となる角以外の角の周囲に生じた影は消去することができる。
【００４４】
図５に戻り、Ｓ１０５：次に状態管理部２４０はパネル制御部２１０に対し、オペレータパネル１２５のタッチパネル１２４にカードサイズ入力画面１６１を表示するよう指示する。カードサイズ入力画面１６１及びカードサイズ記憶部１６７については、次に図１０において説明する。
【００４５】
図１０は第１の実施の形態に関する画像処理装置のカードサイズ入力画面を示す説明図である。タッチパネル１２４のカードサイズ入力画面１６１には、まずユーザ１１０に対し入力を促す表示１６２として「カードのサイズを入力して下さい。」と表示する。そして、その下にＩＤカードＣの縦のサイズ及び横のサイズを説明するイラスト１６３を表示する。更に縦のサイズ表示領域１６４及び横のサイズ表示領域１６５を表示する。ユーザ１１０はテンキー１２６及びＯＫボタンを使用して縦のサイズ表示領域１６４及び横のサイズ表示領域１６５に各サイズを入力する。更に、カードサイズ入力画面１６１の下方には、コピー開始ボタン１６６を表示する。
【００４６】
図１１は第１の実施の形態に関する画像処理装置のカードサイズ記憶部の説明図である。カードサイズ記憶部１６７は図１で示した画像処理装置１００の記憶部２１５の一部である。記憶部２１５のカードサイズ記憶部１６７には、ステップＳ１０５により、ユーザ１１０がオペレータパネル１２５のカードサイズ入力画面１６１から入力したＩＤカードＣの縦のサイズ１６７−１及び横のサイズ１６７−２が記憶される。
再度図５に戻り、Ｓ１０６：最後に、状態管理部２４０はＩＤカードコピーを実施する。詳細は次の図１２において説明する。以上でＣｏｐｙ設定が完了する。
【００４７】
（第１の実施の形態の動作）
第１の実施の形態に関する画像処理装置１００におけるＩＤカードコピー動作を説明する。図１２は、第１の実施の形態に関する画像処理装置におけるＩＤカードコピー動作のシーケンス図である。
ユーザ１１０は、前述のようにオペレータパネル１２５を操作しＣｏｐｙ設定の動作を行う。即ち、ＩＤカードコピーを有効とし、四隅補正の補正方法を図６に示すように、四隅補正の補正方法を「角マスク」とし、基角情報を右下、補正量を５ｍｍに設定した後、原稿サイズをユーザ指定サイズの横８６ｍｍ、縦５４ｍｍに設定する。更にその後、ユーザ１１０は、コンタクトガラス１３２上に幅８６ｍｍ、高さ５４ｍｍのＩＤカードＣをセットする。この時の原稿となっているＩＤカードＣは、背景が一定の有色で、四隅の角が半径３ｍｍの丸くなっているカードである。ユーザ１１０は、Ｃｏｐｙ開始ボタン１６６を押下する。
【００４８】
Ｓ２０１：状態管理部２４０はパネル制御部２１０に対し、オペレータパネル１２５からＣｏｐｙ開始ボタン１６６の押下を受付けるよう指示する。パネル制御部２１０はオペレータパネル１２５からＣｏｐｙ設定及びＣｏｐｙ開始ボタン１６６の押下を受付ける。
Ｓ２０２：状態管理部２４０はパネル制御部２１０に対し、Ｃｏｐｙ設定及びＣｏｐｙ開始を通知するよう指示する。パネル制御部２１０は、状態管理部２４０へＣｏｐｙ設定及びＣｏｐｙ開始を通知する。
Ｓ２０３：次に、状態管理部２４０はパネル制御部２１０に対し、読取中画面を表示するよう依頼する。
Ｓ２０４：パネル制御部２１０はオペレータパネル１２５上に原稿読取中であることを示す読取中画面を表示する。
【００４９】
Ｓ２０５：状態管理部２４０は、パネル制御部２１０より通知されたＣｏｐｙ設定に従い、画像処理部２３０に対し、「画像処理指定」を通知する。画像処理指定の中には、ＩＤカードコピー設定が有効か無効かという情報及び四隅補正の補正方法、補正量の情報を含む。この例では、画像処理指定が、ＩＤカードコピー設定が有効とし、四隅補正の補正方法が「角マスク」であり、基角情報は右下である。画像処理部２３０は、以降の動作をＩＤカード設定が有効の状態にする。また、四隅補正の補正方法が「角マスク」なので、ステップＳ２１２において、これに従った画像データの加工を行う。
【００５０】
Ｓ２０６：更に、状態管理部２４０はスキャナ制御部２２０に対し読取開始を指示する。読取開始の指示の中には、ユーザ１１０がオペレータパネル１２５からカードサイズ入力画面１６１により入力したＩＤカードＣのカードサイズのデータを含む。
Ｓ２０７：スキャナ制御部２２０はＡＤＦユニット１４０に原稿がないと判断し、コンタクトガラス１３２に対して、ＩＤカードＣの表面Ｃ１の読取り、即ち第１回目の読取りを開始する。このときスキャナ制御部２２０は、スキャナ部１３０がＩＤカードＣの画像を読取る際に、ユーザ１１０がオペレータパネル１２５からカードサイズ入力画面１６１により入力したＩＤカードＣのカードサイズに基づいて、スキャナ部１３０による読取範囲を決定し、当該ＩＤカードＣの表面Ｃ１のカードサイズのみ読取る。
【００５１】
Ｓ２０８：状態管理部２４０は、スキャナ制御部２２０に対して状態管理部２４０に読取完了を通知するよう指示する。スキャナ制御部２２０が原稿の読取りを完了すると、スキャナ制御部２２０は状態管理部２４０に読取完了を通知する。
Ｓ２０９：状態管理部２４０はパネル制御部２１０に対し、オペレータパネル１２５上に次原稿画面の表示をするよう依頼する。
【００５２】
Ｓ２１０：パネル制御部２１０は、オペレータパネル１２５上に次原稿としてのＩＤカードＣの裏面Ｃ２をコンタクトガラス１３２上にセットすることを促し、かつ、読取開始指示ができる次原稿画面を表示する。
Ｓ２１１：ステップＳ２０７における原稿読取りを完了すると、スキャナ制御部２２０は、読取データを画像処理部２３０に入力する。この時、画像処理部２３０に入力された画像データを図１３に示す。
【００５３】
図１３は第１の実施の形態に関する画像処理部の画像加工前の読取データの説明図である。図１３に示す読取データは、ユーザ１１０がオペレータパネル１２５からカードサイズ入力画面１６１により入力したＩＤカードＣのカードサイズに基づいて、スキャナ制御部２２０がスキャナ部１３０による読取範囲を決定し、当該ＩＤカードＣの表面Ｃ１のカードサイズのみの読取データである。ＩＤカードＣは四隅が丸くなっている。四隅のうちコンタクトガラス１３２の媒体突当部１３３及び１３４に突き当てていた角Ｃ７−２、角Ｃ７−３及び角Ｃ７−４に影ができ黒くなっている。ＩＤカードＣの右下の隅としての角Ｃ７−１は、コンタクトガラス１３２の媒体突当部１３３及び１３４のどちらにも面さないため、きれいな画像データとなっている。
【００５４】
Ｓ２１２：画像処理部２３０は、ステップＳ２１１において入力された読取データに対して、次に図１４に示す処理フローで画像を加工する。
図１４は第１の実施の形態に関する画像処理装置の画像処理部の画像加工処理フローである。前述のように、四隅補正の補正方法は「角マスク」であり、基角情報は右下である。
Ｓ３０１：画像処理部２３０はまず、四隅補正の補正量が５ｍｍなので、画像データから原稿の右下の角Ｃ７−１から一辺が５ｍｍの大きさに相当する正方形の矩形領域４１０の画像を切り出す。
【００５５】
Ｓ３０２：画像処理部２３０はこの切出画像に対して２値化処理を施し、マスクパターンＭ１０を生成する。このとき作成されたマスクパターンＭ１０は、図８に示すように黒い領域Ｍ１１がオンビット、白い領域Ｍ１２がオフビットである。
【００５６】
Ｓ３０３：更に、画像処理部２３０は、作成したマスクパターンＭ１０を９０度右に回転させて角Ｃ７−２用のマスクパターンＭ１３を作成し、角Ｃ７−２に対して論理演算を実施する。同様に角Ｃ７−３に対しても、マスクパターンＭ１３を９０度右に回転してマスクパターンＭ１４を作成した後、論理演算を実施する。同様に角Ｃ７−４に対しても、マスクパターンＭ１４を９０度右に回転してマスクパターンＭ１５を作成した後、論理演算を実施する。
【００５７】
この結果の画像加工後の画像データは図１５に示す。図１５は第１の実施の形態に関する画像処理部の画像加工後の読取データの説明図である。図１５に示すＩＤカードＣの表面Ｃ１の右下の角Ｃ８−１の画像データは、図１３に示す角Ｃ７−１と同じ画像データである。図１５に示す角Ｃ８−２の画像データは、図１３に示す角Ｃ７−２の画像データを画像加工したものであることを示す。以下同様に、図１５に示す角Ｃ８−３及び角Ｃ８−４の画像データは、図１３に示す角Ｃ７−３及び角Ｃ７−４の画像データを画像加工したものであることを示す。
【００５８】
図１２に戻り、Ｓ２１３：更に、画像処理部２３０は、加工した第１回目の画像データを印刷データにおいて上下２個に分割した領域の一つの左上に画像配置を行う。印刷結果の詳細は、後に図１６により説明する。
Ｓ２１４：ステップ２１０において、オペレータパネル１２５上の次原稿画面を見たユーザ１１０は、ＩＤカードＣを裏返し、再度コンタクトガラス１３２上にセットし、オペレータパネル１２５から読取開始ボタンを押下する。状態管理部２４０はパネル制御部２１０に対し、オペレータパネル１２５から読取開始ボタンの押下を受付けるよう指示する。するとパネル制御部２１０はオペレータパネル１２５から読取開始ボタン１６６の押下を受付ける。
【００５９】
Ｓ２１５：次に、状態管理部２４０はパネル制御部２１０に対し、読取開始を通知するよう指示する。パネル制御部２１０は、状態管理部２４０へ読取開始を通知する。
Ｓ２１６：状態管理部２４０はパネル制御部２１０に対し、読取中画面を表示するよう依頼する。
【００６０】
Ｓ２１７：パネル制御部２１０はオペレータパネル１２５上に原稿読取中であることを示す読取中画面を表示する。
Ｓ２１８：更に、状態管理部２４０はスキャナ制御部２２０に対し、ステップ２０６と同様に、読取開始を指示する。
【００６１】
Ｓ２１９：スキャナ制御部２２０はＡＤＦユニット１４０に原稿がないと判断し、コンタクトガラス１３２に対して、ＩＤカードＣの裏面Ｃ２の読取り、即ち第２回目の読取りを開始する。
Ｓ２２０：状態管理部２４０は、スキャナ制御部２２０に対して状態管理部２４０に読取完了を通知するよう指示する。スキャナ制御部２２０が原稿の読取りを完了すると、スキャナ制御部２２０は状態管理部２４０に読取完了を通知する。
【００６２】
Ｓ２２１：状態管理部２４０は、ＩＤカードコピー時の２回目の原稿読取の完了通知を受けたので、パネル制御部２１０に対し、オペレータパネル１２５上に印刷中画面の表示をするよう依頼する。
Ｓ２２２：パネル制御部２１０は、オペレータパネル１２５上に印刷中であることを示す印刷中画面を表示する。
【００６３】
Ｓ２２３：ステップＳ２１９における原稿読取りを完了すると、スキャナ制御部２２０は、読取データを画像処理部２３０に入力する。この読取データは、ユーザ１１０がオペレータパネル１２５からカードサイズ入力画面１６１により入力したＩＤカードＣのカードサイズに基づいて、スキャナ制御部２２０が読取範囲を決定し、当該ＩＤカードＣの裏面Ｃ２のカードサイズのみ読取った読取データである。
更に読取データは、ＩＤカードＣの裏面Ｃ２の読取データであり、ステップＳ２１１において図１３に示したＩＤカードＣの表面Ｃ１の読取データと模様が異なるだけなので説明を省略する。
【００６４】
Ｓ２２４：画像処理部２３０は、ステップＳ２２３において入力された読取データに対して、前記図１４に示した処理フローで画像を加工する。前記ステップＳ２１２と同じであるので説明を省略する。
Ｓ２２５：更に、画像処理部２３０は、加工した第２回目の画像データを、前記第１回目の画像データを配置した印刷データにおいて、上下２個に分割した領域の他の一つの領域の左上に画像配置を行う。印刷結果の詳細は次に図１６により説明する。
Ｓ２２６：２回分の画像配置を行ったので、状態管理部２４０は画像処理部２３０に対し、印刷部１２０に印刷依頼を行うよう指示する。画像処理部２３０は印刷部１２０に対し印刷依頼を行う。
【００６５】
Ｓ２２７：印刷部１２０は印刷を行う。
図１６は第１の実施の形態に関する画像処理装置の印刷結果を示す説明図である。例えばＡ４版の出力用紙１７１の片面を上下２個の領域１７１−１、１７１−２に分割し、原稿としてのＩＤカードＣの表面Ｃ１の印刷データＣ１−１は、分割した上側の領域１７１−１の左上に配置される。そして、裏面Ｃ２の印刷データＣ２−１は、下側の領域１７１−２の左上に配置される。
即ち、表面Ｃ１の印刷は、前記ステップＳ２１２において、画像加工された画像データ（図１５参照）が、ステップＳ２１３において印刷データＣ１−１として配置されて行われる。そして、裏面Ｃ２の印刷は、前記ステップＳ２２４において、画像加工された画像データが、ステップＳ２２５において印刷データＣ２−１として配置されて行われる。
【００６６】
Ｓ２２８：印刷部１２０は印刷が完了すると、印刷完了を状態管理部２４０に通知する。
Ｓ２２９：状態管理部２４０は、パネル制御部２１０に待機画面の表示を依頼する。
Ｓ２３０：オペレータパネル１２５上には、次のジョブの設定や実行を行うことができる待機画面が表示される。
【００６７】
以上、本実施の形態に関する画像処理装置１００によれば、四隅が丸くなっているＩＤカードＣを、スキャナ部１３０のコンタクトガラス１３２の媒体突当部１３３又は１３４に突き当てて載置するとき、当該媒体突当部１３３又は１３４に突き当てたＩＤカードＣの角Ｃ−２、Ｃ−３、Ｃ−４の画像の仕上がりが、当該媒体突当部１３３及び１３４のどちらにも面さない角Ｃ−１の画像と同等に良好にすることができる読取画像を提供することが可能になる。
【００６８】
なお、媒体突当部１３３又は１３４に突き当てたＩＤカードＣの角Ｃ−２、Ｃ−３、Ｃ−４の画像について詳述する。図１７は第１の実施の形態に関する画像処理装置の斜視図である。スキャナ部１３０と、ＡＤＦユニット１４０と、印刷部１２０と、オペレータパネル１２５については、第２図の説明と同じである。図１７は、ＩＤカードＣをコンタクトガラス１３２上に媒体突当部１３３又は１３４に突き当てて載置し、ＣＩＳセンサ１３１がＩＤカードＣの下側にあることを示す。
【００６９】
図１８は第１の実施の形態に関する画像読取装置のＡ−Ａ断面図である。コンタクトガラス１３２に原稿としてのＩＤカードＣを載置して、ＡＤＦユニット１４０を閉じたときのＡ−Ａ断面図を示す。スポンジ部１４２の押圧力を原稿としてのＩＤカードＣに一様に及ぼすために、スポンジ部１４２と媒体突当部１３４との間には所定のクリアランスＷが設けられる。そのため空間Ｎが形成されることになる。更に、媒体突当部１３４と直交する媒体突当部１３４とスポンジ部１４２との間も同様に、所定のクリアランスＷが設けられ、そのため空間Ｎが形成されることになる。
コンタクトガラス１３２上に載置されたＩＤカードＣは、ユーザ１１０によって媒体突当部１３３又は１３４に突き当てられて配置されるが、媒体突当部１３３との間に隙間Ｐが形成されてしまうと、クリアランスＷによって形成される空間ＮがＣＩＳセンサ１３１によって影として読み取られてしまうことがある。
【００７０】
図１９は画像読取装置の印刷結果を示す説明図である。出力用紙１７１には、ＩＤカードＣの印刷データとは別に、水平な影Ｊと直交する影Ｋが余計な印刷データとして表れる。影Ｊは、ＩＤカードＣの上辺Ｃ９と媒体突当部１３４との間の隙間Ｐが影Ｊ（Ｐ）として表れ、他の空間Ｎが影Ｊ（Ｎ）として表れる。影Ｊと直交する影Ｋについても同様である。
【００７１】
しかしながら、本実施の形態によれば、オペレータパネル１２５によって、ＩＤカードＣのカードサイズを入力するようにしたので、スキャナ制御部２２０はＩＤカードＣのカードサイズのみの画像を読取ることができる。即ち、スキャナ部１３０が読み取るのはＩＤカードＣの領域のみであり、影Ｊ及びＫを読取らない。具体的には、図１３に示す画像データとなる。これにより、媒体突当部１３３又は１３４に突き当てたＩＤカードＣの角Ｃ−２、Ｃ−３、Ｃ−４の画像の仕上がりが、当該媒体突当部１３３及び１３４どちらにも面さない角Ｃ−１の画像と同等に良好にすることができる読取画像を提供することが可能になる。
【００７２】
（第１の実施の形態の変形例１）
第１の実施の形態では、図６に示す四隅補正設定画面１５５において、四隅補正の基準となる角を特定する基角情報をユーザに選択させるものとした（図６では右下）。しかしながら、ユーザ１１０に選択を促すことなく、自動的に右下の角（本実施の形態では媒体突当部１３３及び１３４のどちらにも面さない角Ｃ−１）を四隅補正の基準となる角とすることとしてもよい。このようにすることで、ユーザの操作負担を軽減することが可能となる。
【００７３】
（第１の実施の形態の変形例２）
第１の実施の形態では、スキャナ制御部２２０はスキャナ部１３０がＩＤカードＣの画像を読取る際に、ユーザ１１０がオペレータパネル１２５からカードサイズ入力画面１６１により入力したＩＤカードＣのカードサイズに基づいて、当該ＩＤカードＣのカードサイズのみ読取ることを説明した。しかしながら、画像処理部２３０が画像の切出しを行うことにより、同等の効果を生じることができる。即ち、スキャナ制御部２２０は読取可能な範囲全てを読み取り、その後、画像処理部２３０がユーザ１１０の入力したＩＤカードＣのカードサイズに基づいてＩＤカードＣの画像を切出しするようにしてもよい。更にその後に画像処理部２３０が前述の四隅補正の補正方法を行うことになる。
【００７４】
（第２の実施の形態）
第１の実施の形態では、図１０に示すカードサイズ入力画面１６１において、ＩＤカードＣのサイズを入力したが、第２の実施の形態では、ＩＤカードＣの種類を入力するものである。このようにすれば、ＩＤカードＣのサイズを入力しなくてもよい。図２０は、第２の実施の形態に関する画像処理装置のカードサイズ入力画面である。タッチパネル１２４のカードサイズ入力画面１８１には、まずユーザ１１０に対し入力を促す表示１６２として「カードのサイズを入力して下さい。」と表示する。そして、その下に運転免許証などの定型サイズボタ１８１及び非定型サイズボタン１８３を表示する。
【００７５】
また、図２１は第２の実施の形態に関する画像処理装置の定型カードサイズ記憶部の説明図である。定型カードサイズ記憶部１９７は、前記図１で示す第１の実施の形態に関する画像処理装置１００の記憶部２１５の一部である。記憶部２１５の定型カードサイズ記憶部１９７において、カードの種類欄１９７−１には、カードの種類として例えば「運転免許証」が記憶され、そして、「運転免許証」に対応して縦のサイズ欄１９７−２には「５４ｍｍ」が、横のサイズ欄１９７−３には「８６ｍｍ」が予め記憶されている。このように定型サイズのカードサイズが予め定型カードサイズ記憶部１９７に記憶されているので、ユーザ１１０が定型サイズのＩＤカードＣのコピーを希望するときは、定型サイズボタン１８２を押下するだけで実際のサイズを入力する必要がない。なお、ユーザ１１０が非定型サイズボタン１８３を押下した場合は、次にパネル制御部２１０はオペレータパネル１２５に前記図１０で示したカードサイズ入力画面１６１を表示することになる。
【００７６】
前記実施の形態の説明では、コピーを例に読取った画像を印刷する場合を説明したが、コピーに限定するものではなく、読取画像から電子ファイルを作成する場合にも適応可能である。また、前記実施の形態の説明では、コンタクトガラス上の原稿の読取りを例に説明したが、ＡＤＦユニットから原稿の読取りの場合にも適応可能である。
【符号の説明】
【００７７】
１００          画像処理装置
１２０          印刷部
１２５          オペレータパネル
１３０          スキャナ部
１３１          ＣＩＳセンサ
１３２          コンタクトガラス
１３３、１３４  媒体突当部  
１５１          コピー種類選択画面
１５５          四隅補正設定画面
１６１          カードサイズ入力画面
Ｃ              ＩＤカード
【図１】
0006554424.tif 000002
【図２】
0006554424.tif 000003
【図３】
0006554424.tif 000004
【図４】
0006554424.tif 000005
【図５】
0006554424.tif 000006
【図６】
0006554424.tif 000007
【図７】
0006554424.tif 000008
【図８】
0006554424.tif 000009
【図９】
0006554424.tif 000010
【図１０】
0006554424.tif 000011
【図１１】
0006554424.tif 000012
【図１２Ａ】
0006554424.tif 000013
【図１２Ｂ】
0006554424.tif 000014
【図１３】
0006554424.tif 000015
【図１４】
0006554424.tif 000016
【図１５】
0006554424.tif 000017
【図１６】
0006554424.tif 000018
【図１７】
0006554424.tif 000019
【図１８】
0006554424.tif 000020
【図１９】
0006554424.tif 000021
【図２０】
0006554424.tif 000022
【図２１】
0006554424.tif 000023